(57)【特許請求の範囲】
【請求項１】
外面が皮膚に当接されたとき毛を内部に導入する複数の毛導入孔が設けられた外刃と、この毛導入孔と交差する方向に、外刃の内面に摺接しながら相対移動する複数の内刃とを備えた電気剃刀であって、
前記外刃の毛導入孔と内刃とが相対移動時に対向する部位で、外刃と各内刃との間の少なくとも一部に、前記毛導入孔から導入された毛を前記外刃と前記各内刃との間で挟持して引き込む毛引き込み隙間を、毛を挟持可能な３ｍｍ以下の間隔で形成し、
少なくとも一部の前記毛導入孔は、前記外刃と前記各内刃との間に前記毛引き込み隙間を有する毛引き込み部分と前記外刃の内面に前記各内刃が摺接する毛切断部分とに跨って形成されていると共に、
前記毛引き込み部分が、前記毛切断部分と、前記外刃の内面に対する前記各内刃の相対移動方向において重複せず、先行する複数の前記内刃と前記外刃との間の毛引き込み隙間で、断続的に何度も引き込んだ毛を、皮膚から長く引き込んだ状態で、後続の前記内刃と前記外刃との毛切断部分によって切断することを特徴とする
電気剃刀。
【請求項２】
外面が皮膚に当接されたとき毛を内部に導入する複数の毛導入孔が設けられた外刃と、この毛導入孔と交差する方向に、外刃の内面に摺接しながら相対移動する内刃とを備えた電気剃刀であって、
上記内刃の近傍には前記外刃の内面に摺接または近接し内刃と同一方向に移動して、外刃との間の少なくとも一部に、前記毛導入孔から導入された毛を前記外刃との間で挟持して引き込む毛引き込み隙間、毛を挟持可能な３ｍｍ以下の間隔で形成した複数の毛引き込み部材を設け、
少なくとも一部の前記毛導入孔は、前記外刃と前記各毛引き込み部材との間に前記毛引き込み隙間を有する毛引き込み部分と前記外刃の内面に前記内刃が摺接する毛切断部分とに跨って形成されていると共に、
前記毛引き込み部分が、前記毛切断部分と、前記外刃の内面に対する前記内刃及び前記毛引き込み部材の相対移動方向において重複せず、先行する複数の前記毛引き込み部材と前記外刃との間の毛引き込み隙間で、断続的に何度も引き込んだ毛を、皮膚から長く引き込んだ状態で、後続の前記内刃と前記外刃との毛切断部分によって切断することを特徴とする
電気剃刀。
【請求項３】
前記毛引き込み隙間の形態を、前記外刃の内面に前記内刃が摺接する毛切断部分側に向かって減少するように形成した
請求項１または２に記載の電気剃刀。
【請求項４】
前記毛引き込み隙間を前記外刃の内面に前記内刃が摺接する毛切断部分の端部に形成したときは、該端部の外側に、また、前記毛引き込み部材を前記外刃の内面に前記内刃が摺接する毛切断部分の外側に形成したときは、該外側の外側に、
前記毛導入孔を延長すると共に、該延長部の孔幅を前記外刃と内刃との摺接部の孔幅よりも広く形成した
請求項１、２または３に記載の電気剃刀。
【発明の詳細な説明】
【０００１】
【発明が属する技術分野】
この発明は、複数の毛導入孔を有する外刃と、外刃の内面に摺接して、該内面に対して相対移動する内刃とを備えた回転式または往復摺動式の電気剃刀に関する。
【０００２】
【従来の技術】
上述の電気剃刀（シェーバ）は、外面が皮膚に当接される外刃に多数の毛導入孔が配列され、これらの毛導入孔の内面側の孔縁に形成された切刃と、この外刃の内面に摺接する内刃の先端に形成された切刃とで、毛導入孔に導入された毛を切断するように構成している。
【０００３】
上述の電気剃刀の形態としては、外刃では、平板状、ドーム状、かまぼこ状など様々な形態があり、また、これらの外刃が複数個配置された形態もある。また、毛導入孔の形態は、円形状、細長のスリット状や長円形状の形状、さらに、これらのタイプの毛導入孔が組み合わせて配列された形状もある。
【０００４】
また、電気剃刀では、上述の外刃が固定刃、これに内側で摺接し高速で移動する移動刃としており、内刃の移動方式は、外刃に対して双方向に相対移動する形態と、一方向にのみ相対移動する形態とに大別される。
【０００５】
前者の例としては、往復動カッタ型の形態があり、また、後者の例としては回転カッタ型の形態がある。なお、細長スリット状や長円形状の毛導入孔は、内刃の移動方向に対して交差するように配列されるが、概ね直交方向に向けて配列される。
【０００６】
前述の回転カッタ型の電気剃刀には、内刃を回転する円板面上に放射状に配列した形態と、内刃を回転する円筒面上に配列した形態があり、また、一方向移動式の電気剃刀として、循環駆動されるキャタピラ状の駆動体に内刃を配列した形態も考えられる。
【０００７】
上述したように、電気剃刀の形態には種々存在するが、その剃り形は外刃の内面に摺接する内刃の先端で、毛導入孔に導入された毛を切断する形態を採用している。この剃り方では外刃の肉厚分だけ毛の切断位置が皮膚から離れることになり、充分な深剃り性が確保できない問題点があった。
【０００８】
このような問題点を解決するために、従来、外刃の肉厚を薄くして、毛の切断位置を皮膚に近づける方法や、毛を毛根から引出す作用をするリフト刃を内刃の前面側に配置する方法が採用されている。
【０００９】
外刃の肉厚を薄くする方法では、外刃の剛性を確保するためと、毛導入孔に入り込む皮膚を傷つけないために、その薄肉化には限界があり、現状の深剃り電気剃刀の外刃の肉厚は７５μｍ〜８０μｍ程度である。したがって、この方法のみで手剃りの剃刀並みの深剃りを実現することは困難である。
【００１０】
一方、リフト刃を設ける手段は、図３２に模式的に示すように構成されている。すなわち、同図（ａ）に示す如く、リフト刃５１は、内刃５２の前面側で外刃５３の内面に押付け付勢され、毛導入孔５４に導入された毛５５に押し当てられた時に、その先端の刃先が毛５５に食込んで、同図（ｂ）に示す如くに、内刃５２の前面の傾斜面に沿って外刃５３の内面からリフトし、その刃先に食い込んだ毛５５を毛根から引出す作用をする。したがって、導入された毛５５は、リフト刃５１で引出された状態で内刃５２により切断される。
【００１１】
しかし、リフト刃５１のリフティング量σは約３０μｍ程度で、外刃５３の肉厚の１／３程度であって、手剃りの剃刀並みの深剃りを実現することが不可能で、また、各内刃５２の前面側でリフト刃５１を付勢するために構造が複雑となり、製造コストが高くなる問題もある。
【００１２】
さらには、特に産毛や柔らかい毛は、外刃５３の毛導入孔５４から外刃５３の内部へ入り込んだ後に、リフト刃５１または内刃５２（特にリフト刃５１を有さない構造の電気剃刀の場合）に接触して、これらの刃５１，５２から離反するので、リフト刃５１の有無にかかわらず容易に切断することができない問題点があった。
【００１３】
【発明が解決しようとする課題】
この発明は、相対移動する外刃と内刃との間に毛引き込み用の毛引き込み隙間を形成することにより、簡単な構造でありながら、毛引き込み隙間に導かれた毛を内刃の先に引っかけ、または毛引き込み隙間に挟持して毛をその毛根から引出し、この毛が毛引き込み隙間のない部位に移動した時、引き出した深い位置で切断して、手剃り並の深剃りを行なうことができる電気剃刀の提供を目的とする。
【００１４】
【課題を解決するための手段】
この発明は、外面が皮膚に当接されたとき毛を内部に導入する複数の毛導入孔が設けられた外刃と、この毛導入孔と交差する方向に、外刃の内面に摺接しながら相対移動する複数の内刃とを備えた電気剃刀であって、前記外刃の毛導入孔と内刃とが相対移動時に対向する部位で、外刃と各内刃との間の少なくとも一部に、前記毛導入孔から導入された毛を前記外刃と前記各内刃との間で挟持して引き込む毛引き込み隙間を、毛を挟持可能な３ｍｍ以下の間隔で形成し、少なくとも一部の前記毛導入孔は、前記外刃と前記各内刃との間に前記毛引き込み隙間を有する毛引き込み部分と前記外刃の内面に前記各内刃が摺接する毛切断部分とに跨って形成されていると共に、前記毛引き込み部分が、前記毛切断部分と、前記外刃の内面に対する前記各内刃の相対移動方向において重複せず、先行する複数の前記内刃と前記外刃との間の毛引き込み隙間で、断続的に何度も引き込んだ毛を、皮膚から長く引き込んだ状態で、後続の前記内刃と前記外刃との毛切断部分によって切断する電気剃刀であることを特徴とする。
【００１５】
さらに、この発明は、外面が皮膚に当接されたとき毛を内部に導入する複数の毛導入孔が設けられた外刃と、この毛導入孔と交差する方向に、外刃の内面に摺接しながら相対移動する内刃とを備えた電気剃刀であって、上記内刃の近傍には前記外刃の内面に摺接または近接し内刃と同一方向に移動して、外刃との間の少なくとも一部に、前記毛導入孔から導入された毛を前記外刃との間で挟持して引き込む毛引き込み隙間を、毛を挟持可能な３ｍｍ以下の間隔で形成した複数の毛引き込み部材を設け、少なくとも一部の前記毛導入孔は、前記外刃と前記各毛引き込み部材との間に前記毛引き込み隙間を有する毛引き込み部分と前記外刃の内面に前記内刃が摺接する毛切断部分とに跨って形成されていると共に、前記毛引き込み部分が、前記毛切断部分と、前記外刃の内面に対する前記内刃及び前記毛引き込み部材の相対移動方向において重複せず、先行する複数の前記毛引き込み部材と前記外刃との間の毛引き込み隙間で、断続的に何度も引き込んだ毛を、皮膚から長く引き込んだ状態で、後続の前記内刃と前記外刃との毛切断部分によって切断する電気剃刀であることを特徴とする。
【００１６】
すなわち、この発明の電気剃刀では、毛導入孔に導入される毛が、毛引き込み隙間が存在する位置と存在しない位置とにランダムに導かれる。
【００１７】
毛引き込み隙間が存在しない部位に導かれた毛は、通常の電気剃刀の場合と同様に、そのまま外刃と内刃との摺接部で切断されるが、毛引き込み隙間が存在する部位に導かれた毛は、切断クリアランスが大きいので切断されずに折曲されて、該毛を外刃との間で挟持して、相対移動することにより、毛をその毛根から引き出される。毛根から引き出された毛は直ぐには戻らないので、該毛が毛引き込み隙間の存在する部位にある間は、後続の内刃でこの引き出し作用を繰り返し受けて、その引き出し量が徐々に増大し、この毛が毛引き込み隙間のない部位に移動した時、引き出し量が多い位置で切断して、手剃り並の深剃りを得る。
【００１８】
電気剃刀を使用する際は、外刃を皮膚に押し当てながら皮膚に沿って繰り返し移動させる。したがって、最初から毛引き込み隙間が存在しない部位に導かれてそのまま切断された毛も、切断された先端が、外刃の繰り返し移動の間に、毛引き込み隙間が存在する部位で外刃の内面側に導入されるので、上述した最初に毛引き込み隙間が存在する部位に導入された毛と同様に、該毛をその毛根から引き出し、引き出し量が多い位置で切断して、手剃り並の深剃りを得る。
【００１９】
この発明の電気剃刀は、回転式（例えば、回転カッタ型）および往復動式（例えば、往復動カッタ型）のいずれにも適用ができる。また、毛導入孔の形状も、円形状、細長のスリット状や長円形状の形状、これらの複合形、その他の形状に適用させることができる。
【００２０】
実施の形態として、毛引き込み隙間と毛引き込み部材とを併用して構成して、２の異なる手段で毛をその毛根から引き出すことができる。
【００２１】
さらに、前記毛引き込み隙間は３ｍｍ以下に設定する。毛引き込み隙間を形成した部位に導かれた毛は、外刃の内面との間で挟持されたりして、毛根から引き出されるので、前述の毛引き出し隙間が３ｍｍを越えると、毛が内刃の先に引っ掛からずに逃げやすくなり、毛の挟持も不十分となる。
【００２２】
さらに、毛引き込み隙間の形態を前記外刃の内面に前記内刃が摺接する毛切断部分側に向かって減少するように形成することができる。この構成で毛引き込み隙間を形成した部位に導かれた毛が、毛引き込み隙間の無い部位に近付くほど強い力で毛を挟持して、この毛に作用する毛根からの引き出し力を増大させ、毛を引き出し量の多い位置で切断することができる。
【００２３】
実施の形態として、前記毛引き込み隙間を前記外刃の内面に前記内刃が摺接する毛切断部分の端部に形成したときは、該端部の外側に、また、前記毛引き込み部材を前記外刃の内面に前記内刃が摺接する毛切断部分の外側に形成したときは、該外側の外側に、前記毛導入孔を延長すると共に、該延長部の孔幅を前記外刃と内刃との摺接部の孔幅よりも広く形成することができる。この延長した毛導入孔の部分に多くの毛を導入し、毛引き込み隙間を設けた部位に最初から多くの毛を導くことにより、深剃りさせる毛を増加させて、髭剃り等の時間を短縮することができる。
【００２４】
【発明の実施の形態】
この発明の一実施例を以下図面と共に詳述する。
【００２５】
図面は電気剃刀を示すが、まず図１〜図８を参照して本発明を回転カッタ型の電気剃刀に適用した実施例について説明する。
【００２６】
図１に示す如く、皮膚に当接される外刃１（固定刃）が円板状に形成され、外刃１が先端部に合計３個配置されている。なお、これらの外刃１…の内側には内刃（移動刃）が対設される。
【００２７】
各外刃１は、図２（ａ）、（ｂ）に示す如く、外周側のリング状部が盛り上げて形成され、リング状部にスリット状の毛導入孔２が放射状に配列されている。各外刃１の肉厚は約１００μｍである。各毛導入孔２は、内刃３（図３参照）の摺接部よりも内外周両側へ延長して形成され、外周側に延長された部分には、他の部分よりも孔幅が広い幅広部２ａが形成されている。
【００２８】
図３は、外刃１の内面に摺接される内刃３を示す。各内刃３は、モータ（図示省略）で所定方向に回転駆動される円板４の外周部に、切刃が設けられた先端側を矢印で示す円板４の回転方向へ傾けて放射状に立設され、その先端外周側の部分には、半径方向で外周側へ下降する傾斜状の逃げ面５が設けられている。また、円板４の中心には、外刃１との係合用の軸状の突起６が設けられている。
【００２９】
図４に示す如く、外刃１と内刃３は、内刃３の先端に設けられた切刃が、毛導入孔２の配列された外刃１のリング状部の内面に摺接するように組立てられ、円板４は矢印方向に回転される。したがって、円板４の回転方向と直交する内刃３の摺接部（幅方向）は円板４の半径方向と合致し、内刃３の切刃と各毛導入孔２の内面側孔縁に設けられた切刃とで、毛導入孔２に導入される毛が切断される。軸状の突起６は、外刃１の内面中心に設けられた軸受用の穴７に回転自在に嵌込まれ、円板４や内刃３が軸振れしないように構成されている。
【００３０】
図５に示す如く内刃３の外周側には、逃げ面５により外刃１と内刃３間に、外周側へ漸増する毛引き込み隙間８が形成され、この隙間８は、これに導入される毛を、外刃１の内面と内刃３との間で挟持、または逃げ面５の角に引っ掛けて、その毛根から内刃３側に引っ込むための毛引き込み用の隙間である。
【００３１】
この毛引き込み隙間８は、最も大きい最外周側でも、最大約３ｍｍ以下となっている。なお、毛導入孔２は内刃３の摺接部よりも内外周両側に延長され、外周側の延長部分には、幅広部２ａが設けられている。毛引き込み隙間８の大きさを約３ｍｍ以下としたのは、該毛引き込み隙間８の大きさが約３ｍｍを越えると、毛が内刃３の先に引っ掛からずに逃げやすくなるからである。
【００３２】
したがって、内刃３の摺接部の外周側では、図６の（ａ）に示す如く、外刃１と内刃３間の切断クリアランスが大きく、毛導入孔２に導入される毛は切断されず、図６（ｂ）に示す毛引き込み隙間８の無い摺接部の内周側のみで毛が切断される。
【００３３】
以下、図７、図８に基づいて、毛導入孔２に導入された毛９の切断過程を説明する。図７は、毛導入孔孔２に導入された毛９が切断される過程を、図５と同じ摺接部の正面から断面した図、図８（ａ）〜（ｅ）は、図７の各過程における毛９を、図６と同じ摺接部の側面から断面した図である。
【００３４】
電気剃刀の外刃１を皮膚に沿って移動させる際、毛９は毛導入孔２にランダムな部位で導入される。但し、この実施例の場合は、毛引き込み隙間８が形成された摺接部の外周外側に毛導入孔２の幅広部２ａが形成されているので、最初に外周部の毛引き込み隙間８を形成した部位に導かれる毛９が多くなる。ここでは、説明の便宜上、図８（ａ）に示す如く、毛導入孔２の幅広部２ａに導入された毛９が、最初に外周側の毛引き込み隙間８を形成した部位に導かれ、この後、内周側の毛引き込み隙間８のない部位に移動して切断される場合を示す。
【００３５】
図８（ｂ）に示す如く、毛引き込み隙間８の部位に導かれた毛９は、比較的広い毛引き込み隙間８に挟持されて、内刃３の移動に伴って僅かに毛根から引出され、図８（ｃ）に示す如く、内周側の狭い毛引き込み隙間８に移動すると、毛９はより強い力で毛引き込み隙間８に挟持されると共に、内刃３の刃先に引掛かり、外刃１の肉厚よりも充分に大きく毛根から引出される。
【００３６】
図８（ｄ）に示す如く、毛９がさらに内周側の毛引き込み隙間８の無い部位に移動すると、毛９は毛根から大きく引出された状態で、後続の内刃３により毛根側の深い位置で切断される。先行の内刃３が去って後続の内刃３が毛導入孔２の位置にくるまでの時間は、毛９の引出し力が開放されるが、内刃３は高速で回転しているので、この時間は僅少であり、比較的ゆっくり毛根に戻る毛９は充分に深い位置で切断される。
【００３７】
図８（ｅ）に示す如く、切断されて引出し力が開放された毛９はゆっくり毛根に戻り、皮膚よりも内側まで深剃りされた状態となる。
【００３８】
最初から内周側の毛引き込み隙間８のない部位に導かれる毛９は、毛根から引出されることなく、そのまま切断されるが、電気剃刀を使用する場合は、外刃１を皮膚に押し当てながら該皮膚面上を繰返し移動させるので、切断された先端部が外刃１の繰返し移動の間に毛引き込み隙間８が形成された部位に突出し、該毛引き込み隙間８の部位に導かれた毛９の切断過程と同様の作用を受けて、深剃りされる。
【００３９】
このように、毛引き込み隙間８を形成することにより、確実に深剃りを実行することができる効果があり、また毛引き込み隙間８を該毛引き込み隙間８がない部位に向って減少すべく形成（図５参照）することにより、毛９が毛引き込み隙間８のない部位に近づく程、強い力で挟持されるので、毛根からの引出し力が増大して、さらなる深剃りを達成することができる効果がある。
【００４０】
図９は、毛引き込み隙間８の他の形態例を示し、同図（ａ）は、内刃３の内外周両側部に逃げ面５を設け、毛引き込み隙間８を毛導入孔２の内外周両側に形成している。
【００４１】
（ｂ）は、外刃１の内面側の内外周両側部に段差１０を設け、毛引き込み隙間８を内外周両面に形成している。
【００４２】
（ｃ）は、内刃３の中央部に円弧状の窪み１１を設け、毛引き込み隙間８をポート２の中央部に形成している。
【００４３】
（ｄ）は、外刃１の内面側の中央部に円弧状に窪み１１を設け、引き込み隙間８を中央部に形成している。
【００４４】
（ｅ）は、皮膚に押当てられる外刃１を凹状に湾曲させ、内刃３の先端は平らにして、毛引き込み隙間８を内外周両側に形成している。
【００４５】
（ｆ）は、外刃１を凸状に湾曲させ、湾曲面に沿う内刃３の先端中央部を平らにして、毛引き込み隙間８を中央に形成している。
【００４６】
（ｇ）は、内刃３を半径方向（幅方向）に分割して、分割された外周側の内刃３ａの先端全幅に逃げ面５を設け、内周側の内刃３ｂの先端は平らにして、内刃３ａが摺接するポート２の外周面に毛引き込み隙間８を形成している。
【００４７】
このように構成しても先の実施例とほぼ同様の作用、効果を奏するので、図９において前図と同一の部分には同一符号を付して、その詳しい説明を省略する。  図１０〜図１２は、さらに他の実施例を示す。この電気剃刀も回転カッタ型で、図１０に示す如く、皮膚に当接される固定刃としての外刃１３がドーム状に形成され、その外周部分に長円形状の毛導入孔１４が放射状に配列され、その内周側の中央部分に円形状の毛導入孔１５が多数配列されている。移動刃としての内刃１６は、所定方向へ回転駆動されるドーム状の円板１７の表面に、３枚が放射状に立設され、各内刃１６の先端外周側の部分に、半径方向外周側へ下降する斜面１８が設けられている。
【００４８】
図１１に示す如く、内刃１６は、その先端に設けられた切刃が各毛導入孔１４，１５の配列された外刃１３の内面に摺接するように、外刃１３に対して組立てられ、各内刃１６の切刃と各毛導入孔１４，１５の内面側孔縁に設けれた切刃とで毛が切断される。また、円板１７の中心に設けられた突起１９が、外刃１３の内面中心に設けられた軸受用の穴２０に回転自在に嵌込まれ、内刃１６の軸振れを防止している。
【００４９】
図１２に示す如く、内刃１６の半径方向（幅方向）の外周側には、逃げ面１８により外刃１３と内刃１６間に、外周側へ漸増する毛引き込み隙間２１が形成されている。したがって、内刃１６の摺接部の外周側で毛導入孔１４に導入される毛は、毛引き込み隙間２１に挟持されて毛根から引出され、内周側の毛引き込み隙間２１の無い部位に移動した後、深い位置で切断される。
【００５０】
なお、最初から毛導入孔１４の内周側の毛引き込み隙間２１の無い部位や円形状の毛導入孔１５に導入された毛はそのまま切断されるが、これらの切断された毛は、外刃１３を皮膚に押し当てながら繰り返し移動する間に、毛引き込み隙間２１が形成された部位に導かれ、該毛引き込み隙間２１の作用が働いて毛根から引き出されて深い位置で切断される。
【００５１】
図１３は、さらに他の実施例を示す。この電気剃刀は、図１と同様に、先端部に外刃１が３個配置された回転カッタ型のもので、図１３（ａ）、（ｂ）に示す如く、先端が平らに形成されて全幅で外刃１の内面と摺接する各内刃３の外周外側（内刃３の延長線上）に、内刃３と一体的に回転する金属製の毛引き込み用の部材２２が設けられている。
【００５２】
該毛引き込み部材２２は、円板４と同じ回転軸に取付けられた他の円板２３に、内刃３と同じ位相で放射状に立設され、その先端面２４が外刃１の内面との間に３ｍｍ以下での所定の毛引き込み隙間８を隔てて近接するように配置されている。なお、毛導入孔２の毛引き込み部材２２よりも外周側へ延長された部分には幅広部２ａが形成されている。
【００５３】
このように構成しても、補助部材２２で毛９を毛根から引出し、毛９が内刃３に移動した時に該内刃３で毛９を深い位置で切断することができる。
【００５４】
図１４（ａ）、（ｂ）は、毛導入孔２に導入された毛９が毛引き込み部材２２により毛根から引き出される過程を示す。その図（ａ）に示すように、毛引き込み部材２２の先端面２４は粗面に形成されており、毛導入孔２に導入された毛９は、毛引き込み部材２２の移動に伴って、その図（ｂ）に示すように、先端面２４と外刃１の内面との間の隙間に入り、粗面に形成された先端面２４との摩擦力により、毛根から引き出される。前述したように、毛根から引き出された毛９はゆっくりと毛根に戻るので、内刃３の摺接部に移動したときに、高速で回転する内刃３により、引き出した深い位置で切断される。
【００５５】
前述の毛引き込み部材２２は、合成樹脂等の金属以外の素材で形成することもでき、すなわち、撓まない剛性部材であってもよく、可撓変位する部材であってもよい。さらに、その先端面２４には、摩擦計数の高い素材を貼付したり塗布したりしてもよい。毛引き込み部材２２の円周方向での配列は、必ずしも内刃３と同じ個数や位相とする必要はなく、内刃３と異なる個数としたり、内刃３の位相と前後にずらせて配列してもよい。すなわち、内刃３よりも径方向外方で、かつ進み側（先行側）に毛引き込み部材２２を設けてもよく、また、内刃３よりも外方で、かつ遅れ側に毛引き込み部材２２を設けてもよく、あるいは、内刃３よりも内方で、かつ進み側または遅れ側に毛引き込み部材２２を設けてもよく、さらには、これらの各実施の形態を組合わせてもよい。
【００５６】
図１５（ａ）、（ｂ）は、さらに他の実施例を示す。（ａ）は、内刃３の内外周双方に毛引き込み部材２２ａ，２２ｂを設けたもの、（ｂ）は、内刃３の先端外周側に、逃げ面５を設け、毛引き込み部材２２と逃げ面５（毛引き込み隙間）の両方の毛の引出し作用を併用できるようにしたものである。
【００５７】
このように構成しても毛９を良好に引き込んで深剃りを行なうことができる。
【００５８】
図１６、図１７はさらに他の実施例を示す。この電気剃刀は、図１６（ａ）、（ｂ）に示す如く、内刃３の外周外側に設けられた毛引き込み部材２２が、可撓性を有する薄い金属製のアーム部材２５の先端に立設され、その先端面２４が外刃１の内面に摺接している。アーム部材２５は、円板４と同じ回転軸に取付けられた回転する円板（図示省略）に放射状に取付けられている。
【００５９】
この場合は、毛導入孔２に導入される毛９が、図１７（ａ）に示す如く、毛引き込み部材２２の先端面２４と外刃１の内面との間に入ると、図１６（ｂ）に示す如く、アーム部材２５が撓んで、先端面２４と外刃１の内面との間が押し拡げられ、毛引き込み部材２２はアーム部材２５の弾性力で付勢されて、毛９を外刃１の内面との間に挟持しながら毛根から引き出す。
【００６０】
このように毛引き込み部材２２を付勢手段にて外刃１の内面側に付勢すると、毛引き込み部材２２の位置に導かれた毛９を付勢力により、より一層良好に毛引き込み部材２２と外刃１との間で挟持して、毛根から引き出し、次の内刃３により引き出した毛９をさらに深い位置で切断して、深剃りを行なうことができる。
【００６１】
前述の毛引き込み部材２２の付勢手段としては、各毛引き込み部材２２の基部に弾性部材を介在させて付勢したり、毛引き込み部材２２を直接回転円板に立設して、この回転円板ごと弾性部材などにより付勢したりする方法も採用することができる。
【００６２】
図１８および図１９は、さらに他の実施例を示し、この電気剃刀は外刃１３がドーム状に形成され、その回収部分は長円形状の毛導入孔１４を放射状に配列している。
【００６３】
図１８に示すように、内刃１６が放射状に立設されたドーム状の円板１７の外周部に、シリコーンゴムで形成された環状の毛引き込み部材２６が取付けられている。
【００６４】
図１９に示すように、上述の毛引き込み部材２６は、その先端面２７が長円形状の毛導入孔１４に対する内刃１６の摺接部の外周外側で外刃１３の内面に近接するように配置されている。
【００６５】
先端面２７は周方向に洗濯板状の凹凸が形成されており、毛導入孔１４に導入される毛を高い摩擦係数で外刃１３の内面との間に引き込むと共に、この引き込み部分で局部的に弾性変形し、引き込んだ毛を弾性力で外刃１３の内面に押し付けながら毛根から引き出す。なお、環状の毛引き込み部材２６は周方向で断続的なものとしてもよく、シリコーンゴム等の樹脂の他に、金属等の素材で形成することもできる。
【００６６】
図２０〜図２２は電気剃刀のさらに他の実施例を示し、同図では往復動カッタ型の電気剃刀を示している。
【００６７】
すなわち、電気剃刀は、本体３０と、外刃の頂部形状（略アーチ状）に対応して円弧状の多数の毛導入孔３２…が互に平行に形成された外刃３１と、この外刃３１の内面に沿って往復摺動する多数の内刃３３と、各内刃３３を一体的に取付けたスライダ３４とを備えている。
【００６８】
そして、各内刃３３の上側中間部には曲率凹状の切欠き面３５で毛引き込み隙間３８をそれぞれ形成している。
【００６９】
以下、図２３、図２４を参照して、毛導入孔３２に導入された毛３９の切断過程を説明する。
【００７０】
外刃３１の毛導入孔３２から外刃３１の内部に導入された毛３９は、ひげ剃り時の電気剃刀の移動に伴って、図２４（ａ）に示す如く、毛引き込み隙間３８に接触または挿入されて折曲され、外刃３１の内面と毛引き込み隙間３８との間に挟持され、内刃３３の移動に伴って、図２４（ｂ）に示すように、僅かに毛根から引出され、次に毛引き込み隙間３５の量が少ない部分に移動するにしたがって、毛３９はより強い力で両刃３１，３３間に挟持されると共に、内刃３３の刃先に引掛かり、外刃３１の肉厚よりも充分に多く毛根から引き出される。
【００７１】
次に図２４（ｃ）に示す如く、毛３９がさらに毛引き込み隙間３８が無い部位に移動すると、毛３９は毛根からより多く引き出された状態で、後続の内刃３３により毛根側の深い位置で切断される。
【００７２】
先行の内刃３３が去って後続の内刃３３が毛導入孔３２の位置にくるまでの時間は、毛３９の引出し力が開放されるが、内刃３３は高速で摺動しているので、この時間は僅少であり、比較的ゆっくり毛根に戻る毛３９は充分に深い位置で切断される。
【００７３】
切断されて引き出し力が開放された毛３９はゆっくりと毛根に戻り、皮膚よりも内側まで深剃りされた状態となる。
【００７４】
このように往復動カッタ型の電気剃刀に適用しても、回転カッタ型の電気剃刀とほぼ同様の作用を奏し、容易に深剃りを行なうことができる。
【００７５】
図２５は電気剃刀のさらに他の実施例を示し、図２０の単一外刃構造の電気剃刀に対して、図２１、図２２で示した内部構造を有する複数外刃構造に構成したものである。このように構成しても図２０〜図２４で示した実施例とほぼ同様の作用、効果を奏するので、図２５において前図と同一の部分には同一符号を付して、その詳しい説明を省略する。
【００７６】
図２６〜図２９は往復動カッタ型の電気剃刀のさらに他の実施例を示す。
【００７７】
図２６の実施例は、内刃３３の上面側中央部にフラット形状の切欠き面３５で毛引き込み隙間３８を形成したものである。
【００７８】
図２７の実施例は、頂部がフラットでかつ門形状の外刃３１および毛導入孔３２を設け、内刃３３は外刃３１に対応させて略方形状に形成し、内刃３３の左右両側に両端に向けて傾斜するスラント状の切欠き面３５，３５で毛引き込み隙間３８，３８を形成したものである。
【００７９】
図２８の実施例は、頂部がフラットでかつ門形状の外刃３１および毛導入孔３２を設け、スライダ３４の中間部には方形状の内刃３３を取付け、スライダ３４の左右両側には毛引き込み部材３６，３６を取付け、これら毛引き込み部材３６の先端は外刃３１の内面との間に、３ｍｍ以下の所定クリアランス３７を形成したものである。
【００８０】
図２９の実施例は、頂部がフラットでかつ門形状の外刃３１および毛導入孔３２を設け、スライダ３４の中間部ほぼ全域には方形状の内刃３３を取付ける一方、外刃３１の内面側中央部には曲率凹状の切欠き面３５で毛引き込み隙間３８を形成したものである。
【００８１】
このように構成しても図２０〜図２４で示した先の実施例とほぼ同様の作用、効果を奏するので、図２６〜図２９において前図と同一の部分には同一符号を付して、その詳しい説明を省略する。
【００８２】
図３０、図３１は電気剃刀のさらに他の実施例を示し、同図ではロータリ式（回転式）の内刃を備えた電気剃刀を示している。
【００８３】
すなわち、電気剃刀は外刃の頂部形状（略アーチ状）に対応して円弧状の多数の毛導入孔４２…が互に平行に形成された外刃４１と、外刃４１の内面に沿って回転するロータリ式の内刃４３とを備えている。なお、内刃４３は外刃４１の長手方向に沿う水平状の仮想軸芯線に沿って回転し、刃先は螺旋状に形成されている。
【００８４】
そして、毛導入孔４２形成部位における外刃４１の内面中央部には曲率凹状の切欠き面４５で毛引き込み隙間４８を形成したものである。
【００８５】
このようにロータリ式の内刃４３を備えた電気剃刀に適用しても、他の型式の電気剃刀とほぼ同様の作用を奏し、容易に深剃りを行なうことができる。
【００８６】
なお、回転式（回転カッタ型）電気剃刀、往復摺動式（往復動カッタ型）電気剃刀またはロータリ式電気剃刀は各種デザインのものが存在するが、本発明はこれらの各種デザインのそれぞれの電気剃刀に適用できることは云うまでもない。
【００８７】
【発明の効果】
以上要するに、この発明によれば、外刃と内刃との間の少なくとも一部に毛引き込み用の隙間や部材を形成したので、この隙間や部材に導かれた毛を挟持して、毛をその毛根からより多く引き出し、この毛が毛引き込み用の隙間や部材の無い部位に移動した時、引き出し量の多い位置で切断して、深剃りを達成することができる効果がある。
【図面の簡単な説明】
【図１】  電気剃刀を示す要部の外観斜視図。
【図２】  ａは図１の電気剃刀の外刃を示す平面図、ｂはその外観斜視図。
【図３】  図１の電気剃刀の内刃を示す外観斜視図。
【図４】  図２の外刃と図３の内刃を組立てた状態を示す切欠き斜視図。
【図５】  図４の半径方向に沿う要部拡大断面図。
【図６】  ａは図５のＡ−Ａ線矢視断面図、ｂは図５のＢ−Ｂ線矢視断面図。
【図７】  毛の切断過程を説明する図５と同方向に沿う断面図。
【図８】  ａ〜ｅは、毛の切断過程を説明する図６と同方向に沿う断面図。
【図９】  ａ〜ｇは、毛引き込み隙間の他の実施例を示す断面図。
【図１０】  電気剃刀のさらに他の実施例を示す分解斜視図。
【図１１】  図１０の外刃と内刃を組立てた状態を示す切欠き斜視図。
【図１２】  図１１の半径方向に沿う要部拡大断面図。
【図１３】  ａは電気剃刀のさらに他の実施例を示す一部省略平面図、ｂはその半径方向に沿う要部拡大断面図。
【図１４】  ａ，ｂは、図１３の毛引き込み部材による毛引き出し過程を説明する断面図。
【図１５】  ａ，ｂは、電気剃刀のさらに他の実施例を示す断面図。
【図１６】  ａは電気剃刀のさらに他の実施例を示す断面図、ｂはａの側面からの断面図。
【図１７】  ａは図１５の補助部材が毛を引出した状態を示す断面図、ｂはａの側面からの断面図。
【図１８】  電気剃刀のさらに他の実施例を示す分解斜視図。
【図１９】  図１８の半径方向に沿う要部拡大断面図。
【図２０】  電気剃刀のさらに他の実施例を示す斜視図。
【図２１】  図２０の要部の分解斜視図。
【図２２】  外刃と内刃との組立て状態を示す断面図。
【図２３】  毛の切断過程を示す断面図。
【図２４】  毛の切断過程を示す断面図。
【図２５】  電気剃刀のさらに他の実施例を示す部分斜視図。
【図２６】  電気剃刀のさらに他の実施例を示す断面図。
【図２７】  電気剃刀のさらに他の実施例を示す断面図。
【図２８】  電気剃刀のさらに他の実施例を示す断面図。
【図２９】  電気剃刀のさらに他の実施例を示す断面図。
【図３０】  電気剃刀のさらに他の実施例を示す分解斜視図。
【図３１】  外刃と内刃との組立て状態を示す断面図。
【図３２】  従来構造の電気剃刀を示す要部断面図。
【符号の説明】
１，１３，３１，４１…外刃
２，１４，３２，４２…毛導入孔
２ａ…幅広部
３，３ａ，３ｂ，１６，３３，４３…内刃
８，２１，３８，４８…毛引き込み隙間
２２，２６，３６…毛引き込み部材
【図１】
0003896506.tif 000002
【図２】
0003896506.tif 000003
【図３】
0003896506.tif 000004
【図４】
0003896506.tif 000005
【図５】
0003896506.tif 000006
【図６】
0003896506.tif 000007
【図７】
0003896506.tif 000008
【図８】
0003896506.tif 000009
【図９】
0003896506.tif 000010
【図１０】
0003896506.tif 000011
【図１１】
0003896506.tif 000012
【図１２】
0003896506.tif 000013
【図１３】
0003896506.tif 000014
【図１４】
0003896506.tif 000015
【図１５】
0003896506.tif 000016
【図１６】
0003896506.tif 000017
【図１７】
0003896506.tif 000018
【図１８】
0003896506.tif 000019
【図１９】
0003896506.tif 000020
【図２０】
0003896506.tif 000021
【図２１】
0003896506.tif 000022
【図２２】
0003896506.tif 000023
【図２３】
0003896506.tif 000024
【図２４】
0003896506.tif 000025
【図２５】
0003896506.tif 000026
【図２６】
0003896506.tif 000027
【図２７】
0003896506.tif 000028
【図２８】
0003896506.tif 000029
【図２９】
0003896506.tif 000030
【図３０】
0003896506.tif 000031
【図３１】
0003896506.tif 000032
【図３２】
0003896506.tif 000033